(57)【特許請求の範囲】
【請求項１】
長さ方向に、両端が開放された円筒状構造を有するステントにおいて、
斜めに配列され、一定距離離隔して配列される複数の第１リンク部と、前記複数の第１リンク部のうち隣接した第１リンク部を連結し、一定距離離隔して配列される複数の第２リンク部とを含み、螺旋状に配列される複数のメインセルと、
前記複数のメインセルに対して長さ方向に隣り合って螺旋状に配列される複数のオープンセルとを含み、
前記複数のオープンセルは連続的に螺旋状を形成するように配列され、一つのオープンセルが複数のメインセルに対応するように配列され、
前記複数のメインセルのうち一つのメインセルは、
前記複数の第１リンク部のうち二つの第１リンク部と、前記複数の第２リンク部のうち二つの第２リンク部とによって形成され、
前記一つのメインセルの上下左右方向にある４個の頂点のうち、左右方向にある頂点を連結した線は、ハイブリッドステントの長さ方向に対して４５°以下の角度をなすハイブリッドステント。
【請求項２】
複数の前記オープンセルと前記複数のメインセルとは、順次に交互に配置される請求項１に記載のハイブリッドステント。
【請求項３】
前記複数のメインセルは、
前記ステントの長さ方向を基準として、傾いた構造で配列され、
螺旋状をなし、長さ方向に延長する請求項１または２に記載のハイブリッドステント。
【請求項４】
複数の前記オープンセルは、
前記複数のメインセルのうち二つ以上のメインセルに対して一つのオープンセルが隣接して配列される請求項１から３のいずれか一項に記載のハイブリッドステント。
【請求項５】
前記オープンセルの幅は、前記複数のメインセルのそれぞれの幅より相対的に短い請求項１から４のいずれか一項に記載のハイブリッドステント。
【請求項６】
前記一つのメインセルをなす前記第１リンク部及び第２リンク部のうち少なくとも一つは、波状に形成される請求項１から５のいずれか一項に記載のハイブリッドステント。
【請求項７】
前記波状は、アルファベットＳ字状である請求項６に記載のハイブリッドステント。
【請求項８】
前記第２リンク部は、直線状に形成され、
複数の前記オープンセルは、前記第２リンク部と隣接して形成される請求項１から７のいずれか一項に記載のハイブリッドステント。
【請求項９】
前記第１リンク部は、波状に形成され、
複数の前記オープンセルは、前記第１リンク部と隣接して形成される請求項１から７のいずれか一項に記載のハイブリッドステント。
【請求項１０】
前記複数のメインセルのうち一つのメインセルは、
複数の第１リンク部のうち対向する二つの第１リンク部と、複数の第２リンク部のうち対向する二つの第２リンク部とによって形成され、傾いた菱形状を有する請求項１から９のいずれか一項に記載のハイブリッドステント。
【請求項１１】
前記複数のオープンセルのうち互いに隣接するオープンセルの頂点は共通である請求項１から１０のいずれか一項に記載のハイブリッドステント。
【発明の詳細な説明】
【技術分野】
【０００１】
本願は、ハイブリッドステントに関する。
【背景技術】
【０００２】
一般的に、脳卒中を引き起こす脳血管疾患は、突然発生し、意識消失、四肢麻痺、言語障害などの症状を同伴し、短い時間内に急激に進行する場合が多い。一旦、脳卒中が発生すれば死亡する可能性が高く、死亡しなくとも深刻な障害を残して、正常な生活が不可能なことが多い。また、脳血管疾患は、がんに次いで二番目に多い死亡原因であり、人口１０万人あたり７５人が脳卒中で死亡し、人口１０万人あたり約２００人の患者が毎年発生する。
【０００３】
脳血管疾患は、大きく閉鎖性脳血管疾患と出血性脳血管疾患とに分けられる。閉鎖性脳血管疾患は、主に脳に行く動脈が様々な理由により詰まることで脳に損傷を与えるものであり、出血性疾患は、脳血管が破裂して脳出血が発生する場合をいう。
【０００４】
上記二つの脳血管疾患のうち、出血性脳血管疾患を引き起こす原因のうち代表的な病変が脳動脈瘤である。脳動脈瘤が破裂してクモ膜下出血に発展すれば、深刻な脳損傷を招いて深刻な障害を起こし、死亡までも至らせる。そのため、いつ発生するか分からない脳動脈瘤を事前に治療して患者の生命を保護しなければならない。
【０００５】
脳動脈瘤の治療法としては、動脈瘤頸部結紮術といった直接的手術法があるが、これは、直接的な開頭術として、この数年間最も多く行われてきた手術方法である。しかし、このような直接的手術法は、患者に手術に対する苦痛を与え、手術部位に対する制限的な要素が大きく作用する。このような問題点を克服するために、白金コイルを用いて脳動脈瘤の内部を満たすコイル塞栓術という最小侵襲的な治療法が施される。しかし、コイル塞栓術を施す時に、動脈瘤の入り口（Ａｎｅｕｒｙｓｍ  ｎｅｃｋ）の模様によって、塞栓術後にコイルが抜け出さないように金属網（ｍｅｔａｌ  ｍｅｓｈ）で形成されたステントを挿入しなければならない。実際に、脳動脈瘤の多くの事例で、動脈瘤の入り口が広い場合がある。そのような脳動脈瘤をワイドネック（ｗｉｄｅ  ｎｅｃｋ）動脈瘤、またはジャイアントネック（ｇｉａｎｔ  ｎｅｃｋ）動脈瘤という。そのような動脈瘤が発生した場合、塞栓術用コイルが抜け出ることを予防し、脳動脈瘤の円滑な塞栓を誘導するために、ステントの挿入が不可避である。
【０００６】
塞栓術用の補助ステントが体内挿入後に安定して患部に到達するためには、狭く（ｎａｒｒｏｗ）、曲がった（ｔｏｒｔｕｏｕｓ）脳血管を通らなければならず、脳動脈瘤の挿入されたコイルの離脱を防ぎ、血圧に耐えるためには、柔軟性（ｆｌｅｘｉｂｉｌｉｔｙ）と抗耐圧性（Ｒａｄｉａｌ  ｒｅｓｉｓｔａｎｃｅ）のような性能に優れなければならない。
【０００７】
また、放射線不透過性（Ｒａｄｉｏ−ｏｐａｃｉｔｙ）に優れた材質を利用して、ステントの始めと最後の部分にマーカー（ｍａｒｋｅｒ）をつけなければならない。
【０００８】
これは、Ｘ−ｒａｙ上に正確にステントの位置が表示されるようにして、施術者がステントを正確な位置に展開し、施術後に管理を容易にする。
【０００９】
ステントは、使用される対象によって血管用ステントと非血管用ステントに区分されることができる。血管用ステントは、心血管系の狭窄時に使用される冠状動脈用ステントと、末梢血管用、脳血管用ステントに分類することができる。
【先行技術文献】
【特許文献】
【００１０】
【特許文献１】韓国公開特許公報第１０−２０１２−０１３２３６８号
【発明の概要】
【発明が解決しようとする課題】
【００１１】
本願は、前述した従来技術の問題点を解決するためのもので、メインセルとオープンセルとを混合した混合型セル構造からなり、従来のクローズドセルだけで構成されたステントに比べて柔軟性に優れることにより、複雑でかつ屈曲の多い脳血管に適用可能なハイブリッドステントを提供することができる。
【００１２】
また、本願は、メインセルの左右方向にある頂点を連結した線をステントの長さ方向と同一の方向に位置させることにより、リキャプチャー（ｒｅｃａｐｔｕｒｅ）が可能なハイブリッドステントを提供することができる。
【００１３】
また、本願は、オープンセルの幅をメインセルの幅より相対的に短く具現することで、ステントの柔軟性を向上させるハイブリッドステントを提供することができる。
【００１４】
さらに、本願は、オープンセル１個と対応するメインセルの数を増加させて、ステントの柔軟性を向上させるハイブリッドステントを提供することができる。
【００１５】
但し、本実施例が達成しようとする技術的課題は、上記のような技術的課題に限定されず、また他の技術的課題が存在することができる。
【課題を解決するための手段】
【００１６】
上記の技術的課題を達成するための技術的な手段として、本願の一実施例によるハイブリッドステントは、斜めに配列され、一定距離離隔して配列される複数の第１リンク部と、前記複数の第１リンク部のうち隣接した第１リンク部を連結し、一定距離離隔して配列される複数の第２リンク部とを含み、螺旋状に配列される複数のメインセルと、前記複数のメインセルに対して長さ方向に隣り合って螺旋状に配列される一つ以上のオープンセルとを含むことができる。
【００１７】
本実施例の一例によると、前記複数のオープンセルと前記複数のメインセルとは、順次に交互に配置されることができる。
【００１８】
本実施例の一例によると、前記複数のメインセルは、前記ステントの長さ方向を基準として、傾いた構造で配列され、螺旋状をなし、長さ方向に延長することができる。
【００１９】
本実施例の一例によると、前記複数のオープンセルは、前記複数のメインセルのうち二つ以上のメインセルに対して一つのオープンセルが隣接して配列されることができる。
【００２０】
本実施例の一例によると、前記オープンセルの幅は、前記メインセルの幅より相対的に短いことができる。
【００２１】
本実施例の一例によると、前記複数のメインセルのうち一つのメインセルは、前記複数の第１リンク部のうち二つの第１リンク部と、前記複数の第２リンク部のうち二つの第２リンク部とによって形成され、前記一つのメインセルの上下左右方向にある４個の頂点のうち、左右方向にある頂点を連結した線は、前記ハイブリッドステントの長さ方向に対して４５°以下の角度をなすことができる。
【００２２】
本実施例の一例によると、前記一つのメインセルをなす前記第１リンク部及び第２リンク部のうち少なくとも一つは、波状に形成されることができる。
【００２３】
本実施例の一例によると、前記波状は、アルファベットＳ字状であることができる。
【００２４】
本実施例の一例によると、前記第２リンク部は、直線状に形成され、前記複数のオープンセルは、前記第２リンク部と隣接して形成されることができる。
【００２５】
本実施例の一例によると、前記第１リンク部は、波状に形成され、前記複数のオープンセルは、前記第１リンク部と隣接して形成されることができる。
【００２６】
本実施例の一例によると、前記複数のメインセルの一つのメインセルは、複数の第１リンク部のうち対向する二つの第１リンク部と、複数の第２リンク部のうち対向する二つの第２リンク部とによって形成され、傾いた菱形状を有することができる。
【００２７】
本実施例の一例によると、ハイブリッドステントは、長さ方向に両端が開放された円筒状構造をなすステントにおいて、一つ以上のオープンセルを含むオープンセル部と、複数のメインセルを含むメインセル部とを含み、前記オープンセル部と前記メインセル部とが螺旋生成方向に沿って交互に配列され、前記円筒状構造を提供することができる。
【００２８】
本実施例の一例によると、前記メインセル部は、螺旋の幅方向に沿って並んで配列される複数のメインセルを含むことができる。
【００２９】
本実施例の一例によると、前記オープンセル部は、螺旋の幅方向に沿って並んで配列される一つ以上のオープンセルを含み、螺旋の幅方向に沿って並んで配列されるメインセルの個数は、螺旋の幅方向に沿って並んで配列される一つ以上のオープンセルの個数より多いことができる。
【００３０】
本実施例の一例によると、前記オープンセル部は、前記円筒状構造の長さ方向に沿って隣り合うオープンセル部と少なくとも一部が不連続的であることができる。
【００３１】
上述した課題解決手段は、単に例示的なもので、本願を制限しようとする意図として解釈されてはならない。上述した例示的な実施例の他にも、図面及び発明の詳細な説明に記載された追加の実施例が存在することができる。
【発明の効果】
【００３２】
前述した本願の課題解決手段によると、メインセルとオープンセルとを混合した混合型セル構造からなり、従来のクローズドセルだけで構成されたステントに比べて柔軟性に優れることにより、複雑でかつ屈曲の多い脳血管に適用が可能となる。
【００３３】
また、本願は、メインセルの左右方向にある頂点を連結した線をステントの長さ方向と同一の方向に位置させることにより、リキャプチャー（ｒｅｃａｐｔｕｒｅ）が可能なステント構造を有することができる。
【００３４】
また、本願は、オープンセルの幅をメインセルの幅より相対的に短く具現することにより、ステントの柔軟性を向上させることができる。
【００３５】
さらに、本願は、オープンセル１個と対応するメインセルの個数を増加させて、ステントの柔軟性を向上させることができる。
【００３６】
さらに、本願で得られる効果は、以上で言及した効果に制限されず、言及しなかったまた他の効果は、下記の記載から本発明が属する技術分野で通常の知識を持った者に明確に理解できるであろう。
【図面の簡単な説明】
【００３７】
【図１】本願の一実施例による順方向ハイブリッドステントを示す図面である。
【図２】本願の一実施例による逆方向ハイブリッドステントを示す図面である。
【図３ａ】クローズドタイプのメインセルだけでなる従来のステントを示す図面である。
【図３ｂ】本願の一実施例による多様なステントを示す図面である。
【図３ｃ】本願の一実施例による多様なステントを示す図面である。
【図３ｄ】本願の一実施例による多様なステントを示す図面である。
【図３ｅ】本願の一実施例による多様なステントを示す図面である。
【図４】表１に示すラジアルフォースを測定するための装置を示す図面である。
【図５】表１に示す柔軟性を測定するための装置を示す図面である。
【発明を実施するための形態】
【００３８】
以下では、添付の図面を参照して本願が属する技術分野で通常の知識を持った者が容易に実施することができるように、本願の実施例を詳しく説明する。しかし、本願は、様々な異なる形態で具現されることができ、ここで説明する実施例に限定されない。そして、図面で本願を明確に説明するために、説明と関係ない部分は省略し、明細書全体を通じて類似した部分については類似した図面符号をつけた。
【００３９】
本願明細書全体において、ある部分が他の部分と「連結」されているとすると、これは「直接的に連結」されている場合だけでなく、その中間に他の素子を挟んで「電気的に連結」されている場合も含む。
【００４０】
本願明細書全体において、ある部材が他の部材「上に」位置しているとすると、これは、ある部材が他の部材に接している場合だけでなく、二つの部材間にまた他の部材が存在する場合も含む。
【００４１】
本願明細書全体において、ある部分がある構成要素を「含む」とすると、これは、特に反対の記載がない限り、他の構成要素を除外するのではなく、他の構成要素をさらに含むことができることを意味する。
【００４２】
以下では、添付の図面を参考して本願を詳しく説明する。
【００４３】
本願のステントは、例えば、脳血管疾患に使用される脳血管用ステントまたは心臓麻痺や心筋梗塞のような心臓血管の狭窄治療に使用される冠状動脈ステントに適用されることができる。但し、本願のステントは、これに限定されるものではなく、様々な応用分野に適用されることができる。
【００４４】
図１は、本願の一実施例による順方向ハイブリッドステントを示す図面であり、図２は、本願の一実施例による逆方向ハイブリッドステントを示す図面である。
【００４５】
本願の一実施例によるハイブリッドステント１は、長さ方向に両端が開放された円筒状構造を形成することができる。さらに、ハイブリッドステント１は、複数のメインセル１０と複数のオープンセル２０とが交互に配列されることができる。
【００４６】
このようなハイブリッドステント１は、オープンセル２０が配列される位置によって、順方向ハイブリッドステントと逆方向ハイブリッドステントとに区分することができる。
【００４７】
そして、ハイブリッドステント１は、メインセル１０を螺旋状に配置し、螺旋状に配置されたメインセル１０の間に柔軟性を増加するためのオープンセル２０を配置することができる。この時、オープンセルは、少なくともメインセル１０二つあたり一個ずつ配置されることができ、１個のオープンセル２０と対応するメインセル１０の個数が増加するほどステントの柔軟性が向上されることができる。この時、メインセルの個数を調節することにより、ハイブリッドステント１の柔軟性を調節することができる。
【００４８】
また、ハイブリッドステント１のオープンセル２０は、メインセル１０が配置された螺旋状方向と同一に配置されることができる。
【００４９】
以下では、ハイブリッドステント１の構造について詳しく説明する。
【００５０】
このようなハイブリッドステント１は、複数のメインセル１０と複数のオープンセル２０とが螺旋状に整列配置されることにより、ステントに要求される柔軟性と膨張力に優れた効果を有することができる。
【００５１】
複数のメインセル１０は、斜めに一定距離離隔して配列される複数の第１リンク部１１を含むことができる。複数の第１リンク部１１は、ハイブリッドステント１が膨張した時、ハイブリッドステント１の長さ方向に沿って波状（ｓｉｎｕｓ  ｃｕｒｖｅ）をなすように屈曲して形成されることができる。即ち、第１リンク部１１は、山と谷が交互に位置するように形成されることができる。
【００５２】
一方、複数のメインセル１０は、複数の第１リンク部１１のうち隣接した第１リンク部１１を連結し、一定距離離隔して配列される複数の第２リンク部１２を含むことができる。
【００５３】
このような複数のメインセル１０は、図１〜図２に示すように、ハイブリッドステント１の長さ方向を基準として傾いた構造で配列することができる。例えば、メインセル１０は、ハイブリッドステント１の長さ方向を基準として３０°〜６０°傾いて形成されることができる。
【００５４】
一方、複数のメインセル１０うち一つのメインセル１０は、複数の第１リンク部１１のうち対向する二つの第１リンク部１１と、複数の第２リンク部１２のうち対向する二つの第２リンク部１２とによって形成されることができる。また、一つのメインセル１０は、傾いた菱形状で形成されることができる。
【００５５】
一方、一つのメインセル１０は、第１リンク部１１と第２リンク部１２とが隣接して連結されることにより、略上下左右方向に４個の頂点がそれぞれ形成されることができる。このような４個の頂点のうち、左右方向にある頂点（ａ、ｂ）を連結した線（図示せず）は、ハイブリッドステント１の長さ方向と４５°以下の角度をなすことができる。つまり、メインセル１０の頂点（ａ、ｂ）を連結した線は、リキャプチャー（Ｒｅｃａｐｔｕｒｅ）が可能にリキャプチャー方向（Ｒｅｃａｐｔｕｒｅ  ｄｉｒｅｃｔｉｏｎ）に位置することが好ましい。
【００５６】
また、一つのメインセル１０をなす第１リンク部１１及び第２リンク部１２のうち少なくとも一つは、波状で形成されることができる。この時、波状は、アルファベットＳ字状であることができる。例示として図１を参照すると、第１リンク部１１は波状で形成され、第２リンク部１２は直線状で形成されることができる。
【００５７】
例えば、複数のオープンセル２０は、複数のメインセル１０とハイブリッドステント１の長さ方向に沿って順次に交互に螺旋状で配列されることができる。この時、オープンセル２０は、複数のメインセル１０と対応して形成される一つのセルであることができる。つまり、メインセル１０は、クローズドセル（ｃｌｏｓｅｄ  ｃｅｌｌ）の概念として理解され、オープンセル１０は、並んで配列された数個のクローズドセルに対応する領域を有するセルとして理解されることができる。このようなクローズドセルとオープンセルの概念は、ステント分野の通常の技術者に自明であるため、より具体的な説明は省略する。
【００５８】
図１〜図２に示すように、オープンセル２０は、メインセル１０より相対的に長さが長く、幅が短く形成されることができる。ここで図１を参照すると、オープンセル２０の長さは、螺旋が進行する方向への長さ（図１を基準として１１時〜５時方向）を意味し、オープンセル２０の幅は、螺旋の幅を意味することができる。
【００５９】
加えて説明をすると、オープンセル２０のキャビティ（Ｃａｖｉｔｙ）は、メインセル１０のキャビティより小さく形成されることができる。オープンセル２０がメインセル１０より小さいキャビティを有する形状で形成されることにより、脳血管用ステントにおいてリキャプチャーが可能な範囲内で従来のクローズドタイプ（ｃｌｏｓｅｄ  ｔｙｐｅ；図３ａの基本型参照）以上の柔軟性を確保する。
【００６０】
この時、複数のオープンセル２０のうち一つのオープンセル２０は、図１〜図２に示すように、二つ以上のメインセル１０と隣接して配列されることができる。図１〜図２には、二つのメインセル１０に対して一つのオープンセル２０が隣り合うように配列されて示したが、メインセル１０の個数は限定されない。
【００６１】
一方、複数のオープンセル２０がメインセル１０の隣接した位置に配列される時、その配列される位置は多様に具現されることができる。つまり、オープンセル２０は、図１に示すように、メインセル１０の第２リンク部１２と隣接した位置に配列されることができる。
【００６２】
詳しく説明すると、複数のオープンセル２０は、前述したように直線状に形成された第２リンク部１２に隣接して配列されることができる。このような構造のハイブリッドステント１は、リキャプチャー機能を向上させることができる。
【００６３】
他の実施例として、オープンセル２０は、図２に示すように、メインセル１０の第１リンク部１１と隣接した位置に配列されることができる。
【００６４】
詳しく説明すると、複数のオープンセル２０は、前述したように波状に形成された第１リンク部に隣接して配列されることができる。このような構造のハイブリッドステントは、柔軟性を向上させることができる。
【００６５】
以下では、従来のステントと、本願の一実施例による多様なステントとを比較して説明する。
【００６６】
図３ａは、クローズドタイプのメインセルだけでなる従来のステントを示す図面であり、図３ｂ〜図３ｅは、本願の一実施例による多様なステントを示す図面である。
【００６７】
図３ａに示すステントｓは、メインセル１０だけでなる従来のステントを示すものである。図３ａに示した従来のステントｓは、クローズドタイプ（ｃｌｏｓｅｄ  ｔｙｐｅ）のメインセル１０だけで構成されることにより、本願の一実施例によるハイブリッドステント１よりも柔軟性が顕著に劣る。以下では、図３ａに示すステントを基本型ステントとして定義する。
【００６８】
図３ｂは、本願の一実施例によるハイブリッドステント１として、二つのメインセル１０に一つのオープンセル２０が対応して配列されたものを示す図面である。そして、図３ｂに示すハイブリッドステント１は、オープンセル２０がメインセル１０の第２リンク部１２と隣接して、即ち、第２リンク部１２と隣り合うように配列されることができる。以下では、図３ｂに示すハイブリッドステント１を第１順方向型ステントとして定義する。
【００６９】
図３ｃは、本願の一実施例によるステント１として、三つのメインセル１０に一つのオープンセル２０が対応して配列されたものを示す図面である。そして、図３ｃに示すハイブリッドステント１は、図３ｂに示すハイブリッドステント１のように、オープンセル２０がメインセル１０の第２リンク部１２と隣接して、即ち、第２リンク部１２と隣り合うように配列されることができる。以下では、図３ｃに示すハイブリッドステント１を第２順方向型ステントとして定義する。
【００７０】
図３ｄは、本願の一実施例によるハイブリッドステント１として、三つのメインセル１０に一つのオープンセル２０が対応して配列され、オープンセル２０がメインセル１０の第１リンク部１１と隣接して、即ち、第１リンク部１１と隣り合うように配列されることができる。以下では、図３ｄに示すハイブリッドステント１を逆方向型ステントとして定義する。
【００７１】
図３ｅは、本願の一実施例によるハイブリッドステント１として、三つのメインセル１０に一つのオープンセル２０が対応して配列されるステントであり、図３ｄに示すステントと類似している。但し、図３ｄに示すステントの場合、複数のオープンセル２０が連続的に螺旋状を形成し、そのような複数のオープンセル２０と隣り合い複数のメインセル１０が螺旋状を形成する一方、図３ｅに示すステントの場合、一つのオープンセル２０が螺旋状の一部を形成し、そのような一つのオープンセル２０と隣り合い３つのメインセル１０が螺旋状の一部を形成しているという点で、図３ｄのステントと図３ｅのステントは、形状的な違いがある。つまり、図３ｅに示すステントの実施例の場合、それぞれのオープンセル２０がステントの長さ方向に隣り合うオープンセル２０と互いにずれる不連続的な状態で形成され、メインセル２０も一つのオープンセル２０に対応する個数（図３ｅでは３個）だけが連続して螺旋状を形成することを確認することができる。
【００７２】
また、本願の一実施例によるハイブリッドステント１は、順方向ステントと逆方向ステントが混合した構造で形成されることもできる。
【００７３】
一方、表１は、基本型、第１順方向型、第２順方向型及び逆方向型ステントの性能比較の結果を示すものである。
【００７４】
【表１】
0006481844.tif 000002
【００７５】
表１に示すように、従来の基本型ステントと比べて、本願の一実施例による第１順方向型、第２順方向型及び逆方向型ハイブリッドステントは、ラジアルフォース（Ｒａｄｉａｌ  ｆｏｒｃｅ）が小さくなり、柔軟性（Ｆｌｅｘｉｂｉｌｉｔｙ）が向上されることができる。
【００７６】
一方、本願の一実施例によるハイブリッドステント１は、以下のような観点からも理解することができる。
【００７７】
本願の一実施例によるハイブリッドステント１は、一つ以上のオープンセル２０を含むオープンセル部、及び複数のメインセル１０を含むメインセル部を含み、オープンセル部とメインセル部が螺旋生成方向に沿って交互に配列され、前記円筒状構造を提供する形態で理解することができる。
【００７８】
例えば、図３ｄの実施例を参照して説明すると、図３ｄに示すステント１は、１つのオープンセル２０を含むオープンセル部と３つのメインセル１０を含むメインセル部が螺旋生成方向に沿って交互に配列される形態で具備されることができる。
【００７９】
具体的に、前述した観点によると、図３ｄに示すステント１は、２時〜８時方向に沿って複数のオープンセル２０がオープンセル２０だけでなる螺旋状を形成し、このような複数のオープンセル２０による螺旋状とステントの長さ方向に隣り合い、２時〜８時方向に沿って複数のメインセル１０がメインセル１０だけでなる螺旋状を形成すると説明された。これに対し、今回の観点によると、図３ｄに示すステント１は、１１時〜５時方向に沿って１つのオープンセル２０（オープンセル部）と３つのメインセル１０（メインセル部）とが交互に配列される形成で生成される螺旋状とも理解することができる。
【００８０】
つまり、前述した観点によると、本願の一実施例によるハイブリッドステント１は、２つの螺旋（メインセルによる螺旋とオープンセルによる螺旋）状を組み合わせて円筒状構造を形成する形態で理解される一方、今回の観点によると、本願の一実施例によるハイブリッドステント１は、オープンセルとメインセルを組み合わせた１つの螺旋状だけで円筒状構造を形成する形態で理解することができる。
【００８１】
また、図３ｅに示す実施例によるステント１も、１つのオープンセル２０を含むオープンセル部と３つのメインセル１０を含むメインセル部とが螺旋生成方向に沿って交互に配列される形態で具備されると理解することができる。
【００８２】
但し、図３ｅの実施例のように、本願の一実施例によるハイブリッドステント１は、それぞれのオープンセル部が円筒状構造の長さ方向に沿って隣り合うオープンセル部と少なくとも一部が不連続になるように具備されることができる。具体的に、図３ｄの実施例と対比してみると、図３ｄのステント１の場合、螺旋の幅方向（図３ｄを基準として２時〜８時方向）に沿ってオープンセル部が連続的に連結するように形成されることができる。一方、図３ｅのステント１の場合、螺旋の幅方向（図３ｅを基準として２時〜８時方向）に沿ってオープンセル部が互いに連続的に連結されず、全部（または一部）がずれていることを確認することができる。
【００８３】
このような今回の観点は、図３ｂまたは図３ｃに示す実施例によるステント１を通じても理解することができる。具体的に、図３ｂに示すステント１は、２時〜８時方向に沿って１つのオープンセル２０（オープンセル部）と２つのメインセル１０（メインセル部）とが交互に配列される形態で生成される螺旋状を通じて円筒状構造を形成することができる。また、図３ｃに示すステント１は、２時〜８時方向に沿って１つのオープンセル２０（オープンセル部）と３つのメインセル１０（メインセル部）とが交互に配列される形態で生成される螺旋状を通じて円筒状構造を形成することができる。
【００８４】
また、図３ｂまたは図３ｅを参照すると、メインセル部は、螺旋の幅方向に沿って並んで配列される複数のメインセルを含むことができる。具体的に、図３ｂの場合、螺旋の幅方向（１１時〜５時方向）に沿って２つのメインセルが並んで配列され、図３ｃの場合、螺旋の幅方向（１１時〜５時方向）に沿って３つのメインセルが並んで配列される。また、図３ｄ及び図３ｅの場合、螺旋の幅方向（２時〜８時方向）に沿って３つのメインセルが並んで配列される。
【００８５】
また、オープンセル部は、螺旋の幅方向に沿って並んで配列される一つ以上のオープンセルを含むことができる。図３ｂまたは図３ｅには、一つのオープンセルが配列されるものだけが示されているが、複数のオープンセルが螺旋の幅方向に沿って並んで配列されることができる。但し、オープンセル及びメインセル（クローズドセル）の概念上、螺旋の幅方向に沿って並んで配列されるオープンセルの個数は、螺旋の幅方向に沿って並んで配列されるメインセルの数より小さく設定されることが好ましい。
【００８６】
上述したように、本願の一実施例によるハイブリッドステント１は、柔軟性に優れ、複雑でかつ屈曲の多い脳血管に適用可能であり、施術の際に位置調整可能にリキャプチャー（ｒｅｃａｐｔｕｒｅ）が可能な脳血管に最適化されたステントの構造を有することができる。
【００８７】
但し、前述したように、本願のステントの適用分野は、これに限定されるものではない。例えば、本願のステントは、脳血管疾患に使用される脳血管用ステントだけでなく、心臓麻痺や心筋梗塞のような心臓血管の狭窄治療に使用される冠状動脈ステントに適用されることができる。また、本願のステントは、上述した脳血管用ステント及び冠状動脈ステントの他にも、ステントと関連した様々な応用分野または類似分野に適用されることができる。
【００８８】
上述した本願の説明は、例示のためのものであり、本願が属する技術分野の通常の知識を持った者は、本願の技術的思想や必須的な特徴を変更せずに他の具体的な形態に容易に変形可能なことが理解できるであろう。従って、以上で記述した実施例は、全ての面で例示的なものであり、限定的ではないと理解すべきである。例えば、単一型で説明されている各構成要素は、分散して実施してもよく、同様に、分散して説明されている構成要素も、結合した形態で実施してもよい。
【００８９】
本願の範囲は、上記詳細な説明よりも後述する特許請求の範囲によって表され、特許請求の範囲の意味及び範囲、並びにその均等概念から導出される全ての変更又は変形された形態が本願の範囲に含まれると解釈されるべきである。
【図１】
0006481844.tif 000003
【図２】
0006481844.tif 000004
【図３ａ】
0006481844.tif 000005
【図３ｂ】
0006481844.tif 000006
【図３ｃ】
0006481844.tif 000007
【図３ｄ】
0006481844.tif 000008
【図３ｅ】
0006481844.tif 000009
【図４】
0006481844.tif 000010
【図５】
0006481844.tif 000011